(57)【要約】【課題】構成の複雑化を招くことなく潜熱蓄熱材を発核させる。【解決手段】本実施形態の冷凍サイクル装置は、冷凍サイクル機構と、潜熱蓄熱材と、バイメタル素子と、を備える。冷凍サイクル機構は、圧縮機、室内熱交換器、減圧器、室外熱交換器及びアキュームレータが冷媒管路によって環状に接続された構成である。潜熱蓄熱材は、圧縮機の周囲に配置され、外部からの熱を蓄積する。バイメタル素子は、潜熱蓄熱材に埋め込まれており、所定温度を閾値として形状を変化させる。【選択図】図１
2014211283.tif 000002
【特許請求の範囲】
【請求項１】
圧縮機、室内熱交換器、減圧器、室外熱交換器及びアキュームレータが冷媒管路によって環状に接続された冷凍サイクル機構と、
前記圧縮機の周囲に配置され、外部からの熱を蓄積する潜熱蓄熱材と、
前記潜熱蓄熱材に埋め込まれており、所定温度を閾値として形状を変化させるバイメタル素子と、
を備える冷凍サイクル装置。
【請求項２】
前記所定温度は、暖房運転を実行するに適した温度範囲内で設定されている請求項１に記載の冷凍サイクル装置。
【発明の詳細な説明】
【技術分野】
【０００１】
本発明の実施形態は、冷凍サイクル装置に関する。
【背景技術】
【０００２】
例えば空気調和機に備えられる冷凍サイクル装置においては、圧縮機の周囲に蓄熱材を配置し、この蓄熱材に圧縮機からの排熱を蓄積して、その熱を利用する技術が考えられている。例えば特許文献１には、このような蓄熱材に蓄積した熱を暖房運転の始動時に利用する技術が開示されている。
【先行技術文献】
【特許文献】
【０００３】
【特許文献１】特開平２−１４３０６０号公報
【発明の概要】
【発明が解決しようとする課題】
【０００４】
ところで、蓄熱材として潜熱蓄熱材を使用する場合には、放熱を開始するために過冷却状態の潜熱蓄熱材を発核させる必要がある。そして、潜熱蓄熱材を発核させるための構成として、従来では、例えば、圧電素子や超音波振動子によって外部から潜熱蓄熱材に振動を与える構成、電極によって外部から潜熱蓄熱材に電気的衝撃を与える構成などが採用されている。しかしながら、従来の構成では、配線や駆動機構部なども必要であるため、構成が複雑化するという課題を有している。
本実施形態は、構成の複雑化を招くことなく潜熱蓄熱材を発核させることができる冷凍サイクル装置を提供する。
【課題を解決するための手段】
【０００５】
本実施形態の冷凍サイクル装置は、冷凍サイクル機構と、潜熱蓄熱材と、バイメタル素子と、を備える。冷凍サイクル機構は、圧縮機、室内熱交換器、減圧器、室外熱交換器及びアキュームレータが冷媒管路によって環状に接続された構成である。潜熱蓄熱材は、圧縮機の周囲に配置され、外部からの熱を蓄積する。バイメタル素子は、潜熱蓄熱材に埋め込まれており、所定温度を閾値として形状を変化させる。
【図面の簡単な説明】
【０００６】
【図１】本実施形態に係る冷凍サイクル装置の構成を概略的に示す図
【図２】圧縮機およびその周辺部分を概略的に示す平面図
【図３】経過時間と圧縮機の温度との関係の一例を示す図
【発明を実施するための形態】
【０００７】
以下、冷凍サイクル装置の一実施形態について図面を参照しながら説明する。図１に示す冷凍サイクル装置１０は、例えば空気調和機に備えられるものであり、圧縮機１１、室内熱交換器１２、減圧器１３、室外熱交換器１４及びアキュームレータ１５を冷媒管路１６によって環状に接続した冷凍サイクル機構１７を備える。この圧縮機１１の駆動は、冷凍サイクル機構１７が搭載された空気調和機の動作全般を制御する制御装置４１によって制御される。
室内熱交換器１２は、図示しない室内機の内部に設けられている。この室内熱交換器１２の近傍には、例えば横流ファンで構成される図示しない室内送風機が設けられている。室外熱交換器１４は、図示しない室外機の内部に設けられている。この室外熱交換器１４の近傍には、例えばプロペラファンで構成される図示しない室外送風機が設けられている。減圧器１３は、例えば絞り弁などで構成されている。
【０００８】
四方弁１８は、冷房運転時及び暖房運転時、さらには暖房運転の前に実行する予熱運転時などの各種の運転時において、冷媒管路１６を流れる冷媒の循環方向を各運転に適した方向に適宜切り替える。図１は、予熱運転時及び暖房運転時における冷凍サイクル装置１０を示しており、この場合、四方弁１８は、圧縮機１１の吐出口と室内熱交換器１２とを連結し且つ室外熱交換器１４と圧縮機１１の吸入口側に設けられたアキュームレータ１５とを連結する状態に切り替わる。一方、図示はしないが、冷房運転時における冷凍サイクル装置１０では、四方弁１８は、圧縮機１１の吐出口と室外熱交換器１４とを連結し且つ室内熱交換器１２とアキュームレータ１５とを連結する状態に切り替わる。
【０００９】
この冷凍サイクル装置１０において、図１に示す予熱運転時及び暖房運転時には、圧縮機１１が駆動されると、破線矢印で示すように、当該圧縮機１１から吐出された高温高圧の冷媒が室内熱交換器１２に送られ、当該室内熱交換器１２にて放熱して凝縮する。そして、この凝縮した冷媒は、減圧器１３を通過する際に減圧され、その後、室外熱交換器１４に送られ、当該室外熱交換器１４にて吸熱して気化する。そして、室外熱交換器１４を通過した冷媒は、アキュームレータ１５内に流入して気液分離され、液体状態の冷媒がアキュームレータ１５内に残り、ガス状態の冷媒が圧縮機１１に戻されるようになっている。なお、予熱運転時においては、圧縮機１１や室内送風機は、暖房運転時よりも低い出力で駆動される。
【００１０】
また、この冷凍サイクル装置１０において、冷房運転時には、圧縮機１１が駆動されると、当該圧縮機１１から吐出された高温高圧の冷媒が室外熱交換器１４に送られ、当該室外熱交換器１４にて放熱して凝縮する。そして、この凝縮した冷媒は、減圧器１３を通過する際に減圧され、その後、室内熱交換器１２に送られ、当該室内熱交換器１２にて吸熱して気化する。そして、室内熱交換器１２を通過した冷媒は、アキュームレータ１５内に流入して気液分離され、液体状態の冷媒がアキュームレータ１５内に残り、ガス状態の冷媒が圧縮機１１に戻されるようになっている。
【００１１】
冷凍サイクル装置１０は、さらに潜熱蓄熱材２１を備える。この潜熱蓄熱材２１は、この場合、例えば酢酸ナトリウム三水和物などからなる蓄熱材で構成されており、圧縮機１１の周囲に配置され、空気調和機の運転時に発生する当該圧縮機１１からの排熱など潜熱蓄熱材２１の外部から得られる熱を蓄積する。潜熱蓄熱材２１は、融点以下の温度でも凝固せずに液体状態を維持するいわゆる過冷却特性を有しており、排熱を蓄積した過冷却状態の潜熱蓄熱材２１に内部又は外部から衝撃を与えると、当該潜熱蓄熱材２１が発核して凝固しながら放熱を開始するようになっている。なお、この潜熱蓄熱材２１の融点温度は、この場合、「４２℃」で設定されている。
図２にも示すように、潜熱蓄熱材２１は、圧縮機１１の全周を覆っておらず、この場合、少なくともアキュームレータ１５が取り付けられた部分を覆わないように構成されている。なお、潜熱蓄熱材２１は、圧縮機１１の全周の少なくとも半分以上を覆っていればよい。また、潜熱蓄熱材２１は、その周方向の両端部が圧縮機１１の周面から離間するように構成してもよい。
【００１２】
また、この潜熱蓄熱材２１には、バイメタル素子３１が埋め込まれている。このバイメタル素子３１は、熱膨張率が異なる２種類の金属板を貼り合わせたものであり、所定の反転温度を閾値として、その形状を変化、即ち、その湾曲方向を反転させる。このバイメタル素子３１の反転温度は、この場合、潜熱蓄熱材２１の融点温度よりも低い温度範囲内であって、且つ、暖房運転を実行するに適した温度範囲内で適宜変更して設定することができる。よって、この実施形態では、バイメタル素子３１の反転温度は、潜熱蓄熱材２１の融点温度である「４２℃」よりも低い温度範囲内であって、且つ、一般的にユーザが冷房運転よりも暖房運転を実行するであろう温度である「２０℃」よりも低い温度範囲内で適宜設定するとよく、具体的には、例えば「０℃」から「２０℃」の範囲内で適宜設定するとよい。
【００１３】
図３は、前回の暖房運転が終了してからの経過時間に伴う圧縮機１１の温度変化の一例を示している。即ち、圧縮機１１の温度Ｔ１は、前回の暖房運転の終了時ｔ１の後において時間の経過に伴い徐々に低下していく。これに伴い、潜熱蓄熱材２１の温度も徐々に低下していく。そして、圧縮機１１の温度Ｔ１が所定温度Ｔｒ以下になると、過冷却状態となった潜熱蓄熱材２１の温度が所定の反転温度以下となり、その時点ｔ２において、潜熱蓄熱材２１に内蔵されているバイメタル素子３１が当該潜熱蓄熱材２１の内部において反転する。このバイメタル素子３１の変形により、潜熱蓄熱材２１に内部から衝撃が与えられ、当該潜熱蓄熱材２１が発核する。そして、発核した潜熱蓄熱材２１から放熱が開始される。これにより、圧縮機１１が潜熱蓄熱材２１からの放熱によって暖められ、圧縮機１１の温度Ｔ１が徐々に上昇する。なお、図３に破線で示す温度Ｔ２は、潜熱蓄熱材２１からの放熱を行わない場合における圧縮機１１の温度変化を示す。即ち、潜熱蓄熱材２１を発核させた場合における暖房運転再開時ｔ３の圧縮機１１の温度Ｔ１ａは、潜熱蓄熱材２１を発核させない場合における暖房運転再開時ｔ３の圧縮機１１の温度Ｔ２ａよりも格段に高くなる。
【００１４】
以上に説明した本実施形態に係る冷凍サイクル装置１０によれば、潜熱蓄熱材２１に、所定の反転温度を閾値として形状を変化させるバイメタル素子３１が埋め込まれている。このバイメタル素子３１は、周囲の温度あるいは当該バイメタル素子３１の温度が所定の反転温度以下になれば自動的に反転して潜熱蓄熱材２１に内部から衝撃を与えるものであり、配線や駆動機構部などが不要である。よって、構成の複雑化を招くことなく潜熱蓄熱材２１を発核させることができる。また、バイメタル素子３１は、配線や駆動機構部などが不要であることから、配線を通したり駆動機構部を取り付けたりするための孔を潜熱蓄熱材２１に設ける必要がない。
また、冷凍サイクル装置１０によれば、バイメタル素子３１の反転温度は、少なくとも、暖房運転を実行するに適した温度範囲内で設定されている。これにより、ユーザが暖房運転を開始したいと思うような場合に潜熱蓄熱材２１を自動的に発核させることができ、潜熱蓄熱材２１に蓄積された熱を、利用したいときに合わせて有効に活用することができる。
【００１５】
また、冷凍サイクル装置１０によれば、暖房運転が開始される前に潜熱蓄熱材２１を発核させることにより、潜熱蓄熱材２１に蓄積した熱を利用して暖房運転の前から圧縮機１１を効率良く暖めることができ、暖房性能の向上を図ることができる。また、前回の運転時において圧縮機１１から発生した排熱、つまり、従来では有効に使われていなかった熱エネルギーを蓄積しておき、その蓄積した熱を、今回の暖房運転前において圧縮機加熱用の熱源として利用することができ、省エネルギー性能の向上を図ることができる。
なお、冷凍サイクル装置１０は、潜熱蓄熱材２１の周囲に、例えばヒーターなどで構成される外部熱源を備えてもよい。この外部熱源によって、放熱後の潜熱蓄熱材２１を確実に融解させることにより、融け残りによる意図しない発核の発生を防止することができる。
【００１６】
以上に説明した本実施形態に係る冷凍サイクル装置は、冷凍サイクル機構と、潜熱蓄熱材と、バイメタル素子と、を備える。冷凍サイクル機構は、圧縮機、室内熱交換器、減圧器、室外熱交換器及びアキュームレータが冷媒管路によって環状に接続された構成である。潜熱蓄熱材は、圧縮機の周囲に配置され、外部からの熱を蓄積する。バイメタル素子は、潜熱蓄熱材に埋め込まれており、所定温度を閾値として形状を変化させる。この構成によれば、構成の複雑化を招くことなく、潜熱蓄熱材を発核させることができる。
【００１７】
上述の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００１８】
図面中、１０は冷凍サイクル装置、１１は圧縮機、１２は室内熱交換器、１３は減圧器、１４は室外熱交換器、１５はアキュームレータ、１６は冷媒管路、１７は冷凍サイクル機構、２１は潜熱蓄熱材、３１はバイメタル素子を示す。
【図１】
2014211283.tif 000003
【図２】
2014211283.tif 000004
【図３】
2014211283.tif 000005